(57)【要約】【課題】本発明が解決しようとする課題は、公共の機関から個人宛に送付される通知書類などに関して個人側で確認、追記して公共機関宛に返信する連絡行為において、これまで困難だった葉書の秘匿すべき情報の保護を可能にすること及び、返信時保護シートの貼り付けミスを防ぎ、封書による場合に比べて封筒への挿入工数及び郵送費を大幅に縮小することである。【解決手段】３枚の葉書大のシートとやや小さい１枚のシートを折りたたみ可能に結合した状態で配置し、１枚のシートの表面には同サイズの剥離紙をセットし、順次巻き込むごとく４枚のシートを折りたたみ、シートの間に切り離しを容易にするべきミシン目をいれたことを特徴とする保護シート付き葉書。【選択図】図１
2013215973.tif 000002
【特許請求の範囲】
【請求項１】
第１、第２、第３の葉書大のシートとやや小さい第４のシートを折りたたみ可能に結合した状態で配置し、第１のシートと第２のシートと第４のシートの表面を再貼り付け不能な粘着面とし、第４のシートの表面には同サイズの剥離紙をセットし、第４のシートから順次巻き込むごとく４枚のシート３、２、１を折りたたみ、第４のシートと第３のシートの間及び第３のシートと第２のシートとの間に切り離しを容易にするべきミシン目をいれたことを特徴とする保護シート付き葉書。
【請求項２】
第１のシートの裏面と第２のシートと第４のシートの表面を再貼り付け不能な粘着面とし第１のシートと第２のシートの折り曲げ方向を第３のシートと反対側にするごとく形成したことを特徴とする請求項１記載の保護シート付き葉書。  
【発明の詳細な説明】
【技術分野】
【０００１】
本発明は、郵便葉書で秘匿すべき情報を郵送する際に用いるものであり、特に返信機能を有することを特徴としたものである。
【背景技術】
【０００２】
近来、公共の機関から個人宛に送付される通知書類などに関して個人側で確認、追記して公共機関宛に返信する連絡行為が数多く行われている。  このような場合に送信及び返信情報の内容は部外者に秘匿すべきものが含まれている場合が多い。  返信する必要の無いものは、秘匿すべき情報を含む内容を通常の葉書で郵送する場合は、再貼り付け不能な保護シールを貼り付けることによって不特定な外部への秘匿すべき情報の漏洩を防止するものが用いられている。  しかし、この方式は着信時に、該秘匿すべき情報を確認して返信するごとき場合には使用することがことは出来ない。  従って該返信用葉書と剥離紙付きの再貼り付け不能な保護シール（ワンタイムシール）を封書によって送付することとなっていた為に、大量の件数を処理する為には、封筒への挿入工数及び郵送費に多くの費用を費やしていた。
【０００３】
対策技術としては、再貼り付け可能な保護シールを用いた葉書形式のものがあるが、この方式は実際に何処で開閉されたかの特定が出来ない為に秘匿すべき情報の保護のための効果は大幅に縮小される。
【先行技術文献】
【特許文献】
【０００４】
【特許文献１】実登２５７６８９１
【特許文献２】実登３１３３０４８  特許文献１に示されるものは写真などの添付方式としては粘着シートを利用した方式があるが、本願のごとき返信葉書用に使用できる機能を備えたものではない。  特許文献２に示されるものは本出願人によるものであり目的は同じであるが、発送時に往復葉書の様式である為に発送費用が嵩むことと、分離した保護シートを貼る位置のズレが生じやすく、再貼り付けが不可能なシートでは、やり直しが効かないために不具合が生じやすいという欠点がある。
【発明の概要】
【発明が解決しようとする課題】
【０００５】
本発明が解決しようとする課題は、これまで困難だった葉書の秘匿すべき情報の保護を可能にすること及び、返信時保護シートの貼り付けミスを防ぎ、封書による場合に比べて封筒への挿入工数及び郵送費を大幅に削減することである。
【課題を解決するための手段】
【０００６】
本発明の上記課題を解決するための手段は、第１、第２、第３の葉書大のシートとやや小さい第４のシートを折りたたみ可能に結合した状態で配置し、第１のシートと第２のシートと第４のシートの表面を再貼り付け不能な粘着面（以後ワンタイムシール面と呼ぶ）とし、第４のシートの表面には同サイズの剥離紙をセットし、第４のシートから順次巻き込むごとく４枚のシートを折りたたんで第１のシートの外面に宛先を記入し、第３のシートの表面に秘匿すべき情報を記入し、第３のシートの裏面（折りたたんだ状態での外面）に返信時の宛先を記入して第４のシートと第３のシートの間及び第３のシートと第２のシートとの間に切り離しを容易にするべきミシン目をいれた葉書を提供するものである。
【発明の効果】
【０００７】
本発明の第１の効果は、１連の結合された用紙を巻き込むように折りたたんで葉書大として発送し、返信時には第１と第２のシートを切り離して第３のシートに第４のシートを貼り付けた状態で秘匿情報を返信するごとくなした結果、発送時及び返信時ともに葉書として取り扱うことができるために郵送料が安く、しかもワンタイムシールの特徴を生かして確実な情報秘匿効果を持ち、その上用紙製作及び印字行程も一連の動作で能率良く進めることが出来、更に第４シートを接着する時の位置ズレは単なる折りたたみ作業となる為に確実に防止することができる。  これらの効果は本発明の保護シートによって得られる極めて有益な効果である。
【図面の簡単な説明】
【０００８】
【図１】図１は本発明の保護シート付き葉書の１実施形態を示した平面図である。
【図２】図２は本発明の保護シート付き葉書の折畳み状態を示した側面図である。
【図３】図３は本発明の保護シート付き葉書の他の折畳み状態を示した側面図である。
【発明を実施するための形態】
【０００９】
本発明の保護シート付き葉書をその機能を損なわない範囲で簡略化して実現するための実施形態を示す。
【実施例】
【００１０】
図１は本発明の保護シート付き葉書の１実施形態を示した平面図であり、図２は本発明の保護シート付き葉書の折畳み状態を示した側面図である。
図１及び図２において、第１、第２、第３の葉書大のシート１、２、３とやや小さい第４のシート４を折りたたみ可能に結合した状態で配置し、第１のシート１と第２のシート２と第４のシート４の表面を再貼り付け不能な粘着面（以後ワンタイムシール面と呼ぶ）とし、第４のシートの表面には同サイズの剥離紙５をセットし、第４のシート４から順次巻き込むごとく４枚のシート３、２、１を折りたたんで第１のシート１の外面に宛先を記入し、第３のシート３の表面に秘匿すべき情報を記入し、第３のシート３の裏面（折りたたんだ状態での外面）に返信時の宛先を記入して第４のシート４と第３のシート３の間及び第３のシート３と第２のシート２との間に切り離しを容易にするべきミシン目６、７をいれた葉書を提供するものである。
図３は本発明の保護シート付き葉書の他の折畳み状態を示した側面図である。  図３における前記実施例との構造の違いは、第１のシート１と第２のシート２の折畳み方向の違いであり、図３においては第１及び第２のシートの表面が外側を向く形となる。  機能的には大きな差は無いが前記の巻き込み方式で必要となる第２のシート２と第３のシート３の微妙な外形サイズの変化を考慮しなくて良いと云う利点が有る。  第１のシート１の粘着面は裏側となることと、記載面の内外の変更及が必要なことはいうまでも無い。
［使用法］
【００１１】
上記実施形態に示す本発明の保護シート付き葉書の使用法について説明する。  用途として公共の機関から個人宛に送付される通知書類などに関して個人側で確認、追記して公共機関宛に返信する連絡行為が数多く行われている。  このような場合に送信及び返信情報の内容は部外者に秘匿すべきものが含まれている場合が多い。  本発明の保護シート付き葉書の第４面４から第１面１までを巻き込むように折畳んで第１面１の外面に送り先の宛名を記入して発送する。  第１面１及び第２面の表面（内側面）には発送内容の説明などを記入することができる。  これを受信した受信者は第３面３の表面の、第４面４のサイズ内に秘匿すべき情報を記入し第４面４の剥離紙を取り除いて第３面３に貼り付けてミシン目７によって第１面１及び第２面２を切り離して返送する。  返送を受けた公共機関などは第４面４を第３面３から剥がして記載内容を確認する。  この際、不要となった第４面４はミシン目６によって切り離して破棄することができる。
【産業上の利用可能性】
【００１２】
本発明は、１連の結合された用紙を巻き込むように折りたたんで葉書大として発送し、返信時には第１と第２のシートを切り離して第３のシートに第４のシートを貼り付けた状態で秘匿情報を返信するごとくなした結果、発送時及び返信時ともに葉書として取り扱うことができるために郵送料が安く、しかもワンタイムシールの特徴を生かして確実な情報秘匿効果を持ち、その上用紙製作及び印字行程も一連の動作で能率良く進めることができ、更に第４シートを接着する時の位置ズレを単なる折りたたみ作業とすることによって確実に防止することができる。  これらの作業の能率向上効果は本発明の保護シートによって情報交換に関する産業上極めて有益な効果である。
【符号の説明】
【００１３】
１    第１のシート
２    第２のシート
３    第３のシート
４    第４のシート
５    剥離紙
６    ミシン目
７    ミシン目
【図１】
2013215973.tif 000003
【図２】
2013215973.tif 000004
【図３】
2013215973.tif 000005